(57)【特許請求の範囲】
【請求項１】
シラスの通過路を横断するように送風筒を配置し、その送風筒の端部を送風源へ接続すると共に長手方向へ伸びる細長いスリット状の噴口を設け、その噴口に通風量を設定する均分手段を設け、噴口の長手方向の流量を局部的に設定してなるシラス干しの風選装置。
【請求項２】
請求項１において、前記送風筒の両端部をそれぞれ送風源へ接続すると共に、送風筒の側壁に送風ノズルを突設し、その先端部に長手方向へ延びる細長いスリット状の噴口を設け、その噴口の背部に送風筒の長手方向に沿って複数の区画板を配し、送風筒の内部と噴口との間に形成される送風路を複数に分離してなるシラス干しの風選装置。
【請求項３】
請求項１において、前記送風筒の両端部をそれぞれ送風源へ接続すると共に、前記細長いスリット状の噴口の形状を長手方向中央部の幅が両端部の幅に比して小さいものに形成してなるシラス干しの風選装置。
【請求項４】
請求項１において、前記送風筒の一端を送風源へ接続し他端を閉じると共に、前記細長いスリット状の噴口の形状を前記送風源に通じる一端側から他端側に向けて幅が拡大するものに形成してなるシラス干しの風選装置。
【請求項５】
請求項１、請求項３、請求項４のいずれかにおいて、前記スリット状の噴口は幅狭部の幅と幅広部の幅とを、およそ１：２の割合に形成してなるシラス干しの風選装置。
【発明の詳細な説明】
【０００１】
【産業上の利用分野】
この発明はシラス干しの風選装置に関するもので、特に、茹で上げられたシラスをコンベアで搬送しつゝ、あるいはコンベアから落下させつゝ、これに風を当てゝ形や寸方の異なるものを選別排除する風選装置に関するものである。
【０００２】
【従来の技術】
一般に、海で採れた小魚を茹でて天日に干して乾燥させる、いわゆる「シラス干し」の製法は現在でも使用されている。この製法では、原料たる「シラス」の中に混じる、「小えびや小蟹、あるいは針状のプランクトンなど」を風選法によって除去し、製品の品質を向上することが行われている。
【０００３】
従来の風選法は、釜から取り出され乾燥させた小魚を上方から落下させつゝ、あるいは網目の搬送ベルトを持つコンベアの上に小魚を載せ、それら小魚に向けてノズルから送風し、大きさの割りに軽い小えびや小蟹を吹き飛ばして選別し除去している。そして、そのシラスに対して空気を吹き付ける送風ノズルＮが図６で示すように、送風源に接続された筒状の送風筒５１の側面に、長手方向に沿って設けられた平行なスリット状に開口させてあった。
【０００４】
【発明が解決しようとする課題】
しかしながら、そのため送風ノズルの送風源へ接続された端部から遠ざかるにつれて、前記スリット状から噴出する風量や風速が減じ、比重の小さい小えびや小蟹などの夾雑物も遠くへ吹き飛ばすことができなくなり、殊に、コンベアベルト上に載せられたシラスの層の厚さが均一でないとき、その傾向が強く、選別の精度が低下する不具合があった。
【０００５】
【課題を解決するための手段】
この発明は上記課題を解決するため、シラスの通過路を横断するように送風筒を配置し、その送風筒の端部を送風源へ接続すると共に長手方向へ伸びる細長いスリット状の噴口を設け、その噴口に通風量を設定する均分手段を設け、噴口の長手方向の流量を局部的に設定したものである。具体的には、前記送風筒の両端部をそれぞれ送風源へ接続すると共に、送風筒の側壁に送風ノズルを突設し、その先端部に長手方向へ延びる細長いスリット状の噴口を設け、その噴口の背部に送風筒の長手方向に沿って複数の区画板を配し、送風筒の内部と噴口との間に形成される送風路を複数に分離してある。また、前記送風筒の両端部をそれぞれ送風源へ接続すると共に、前記細長いスリット状の噴口の形状を長手方向中央部の幅が両端部の幅に比して小さいものに形成してもよく、さらに、前記送風筒の一端を送風源へ接続し他端を閉じると共に、前記細長いスリット状の噴口の形状を前記送風源に通じる一端側から他端側に向けて幅が拡大するものに形成してもよい。そして、前記スリット状の噴口の幅が変化するものでは、幅狭部の幅と幅広部の幅とを、およそ１：２の割合に形成したものである。
【０００６】
【作用】
送風筒はシラスを搬送するコンベアやコンベアから落下するシラスの側方など、シラスの通過路を横断して配置される。送風筒には送風源から空気が圧送され、送り込まれた空気は送風筒に設けられたスリット状の噴口から前記通過路の幅全体に亘って吹き出す。噴口から吹き出す空気量は、均分手段によって長手方向の位置毎に予め設定され、スリット状の噴口の長さ方向全体に亘って略同一の強さで吹き出すことゝなる。
【０００７】
【実施例】
以下、図示の実施例によってこの発明を説明する。図１において、１０はシラス干しの風選装置である。風選装置１０はキャスタ車輪１１によって支持された選別台車２０と、選別台車２０に支持したベルトコンベア３０とを有する。選別台車２０には図２で示すように、底板２１の両側に側板２２、２２が設けられ、これに上板２３と下板２４とを支持して空気通路Ｄが形成してある。そして、前記ベルトコンベア３０はその空気通路Ｄを貫通させ、且つ、若干傾斜させて取り付けられている。１２は風選装置１０へシラスＦを供給するための供給コンベアであり、図示してない茹で釜から取り出された直後のものや、半日程度の天日干しを経たものが載せられ搬送されベルトコンベア３０上に落下させる。
【０００８】
前記ベルトコンベア３０は上向きコ字形をなすフレーム３１の長手方向の一端と他端とに、駆動ローラ３２と従動ローラ３３とが支持され、それらの間にコンベアベルト３４を巻回したものである。また、ベルトコンベア３０は選別台車２０に対して支軸３５と、それよりやゝ離隔して設けた加振器３６とによって上下に傾動し振動するように支持されている。よって、ベルトコンベア３０は前記支軸３５を軸として短い周期で上下に回動させ、シラスＦをコンベアベルト３４上から浮上させる。駆動ローラ３２はベルト３８を介して電動機３７に連結されており、一定の速度で回転する。また、コンベアベルト３４はポリエステル網あるいは小孔の多数を穿設したステンレス板からなり、それらはシラスＦの寸法の大小によって選択され、掛け替えられる。
【０００９】
前記空気通路Ｄは側方形状が図１で示すように、ベルトコンベア３０の上流側すなわち、下方側に向けて断面積が増す略三角形をなしており、その狭い側には下方へ向けて空気を噴出しシラスＦから雑魚分別除去するための選別ノズル１６が設けられ、更に、コンベアベルト３４の下面にも上方へ向けて跳ね上げノズル１７が設けられている。それら  選別ノズル１６と跳ね上げノズル１７とは図示してない空気ダクトを介して送風源たる送風機に接続されており、その空気ダクトには電熱器その他、そこを空気を加熱し乾燥させるための手段が設けられている。
【００１０】
斯くて、跳ね上げノズル１７から吹き出す空気はコンベアベルト３４を通してシラスＦの下面に作用し、前記ベルトコンベア３０が上昇から下降へ転ずるのを利用してシラスＦをコンベアベルト３４の面から跳ね上げ浮き上がらせる。そして、跳ね上げられたシラスＦは前記選別ノズル１６から吹き出す空気によってコンベアベルト３４の下流側へ向けて吹き飛ばされ、再び、コンベアベルト３４上へ落下する。なお、選別ノズル１６から吹き出した圧縮空気は吹き出し方向先方の空気通路Ｄが拡げられ、それに伴って膨張し急速に速度が低下してシラスＦが遠くまで飛び過ぎないようになっている。また、跳ね上げノズル１７を通過するシラスの重さはの設定は、前記選別ノズル１６から吹き出される空気の風量や、加振器３６へ入力する電力を増減することによって行う。
【００１１】
搬送ノズル１８、１９は、コンベアベルト３４の下面から斜め上方を向けて開口している。よって、供給コンベア１２からコンベアベルト３４上へ落下したシラスＦに向けて下方から空気を吹き付け、前記選別ノズル１６の作用で吹き飛ばされたシラスＦのうち、遠方まで飛ばされたもの、すなわち、雑魚を更にストッパ板１３へ向けて逐次に吹き飛ばし、雑魚受け箱１４の中へ落下させる。
【００１２】
４０は静電装置である。静電装置４０は電気式集塵機の電極を転用したもので、具体的には各１０本のステンレス製電線で構成された正極４１と、負極４２とを備え、それらはコンベアベルトを挟んで約５万ボルトの高圧を印加可能に構成されている。これによって、コンベアベルト３４上のシラスＦを負に帯電させ、正極４１に吸引させることにより、加振器３６によるベルトコンベア３０の振動、および、跳ね上げノズル１７の作用と共働して、コンベアベルト３４上から浮上させる。４３は静電装置４０のための高圧電源であり、２個の碍子４４、４４によって絶縁した状態で電線状の正極４１に接続されている。４５は前記碍子４４に向けて空気を噴射し碍子を乾燥状態に保つための乾燥ノズルである。
【００１３】
前記ストッパ板１３の下方には雑魚受け箱１４が置かれ、小えび、小蟹、プランクトン、あるいは形の崩れたシラスなどがシラスＦの中から除外されて投入される。１５はベルトコンベア３０の終端下方に置かれた製品たるシラスを受けるためのシラス受け箱である。
【００１４】
斯くして、コンベアベルト３４の面から跳ね上げられたシラスＦは前記選別ノズル１６から吹き出す空気によってコンベアベルト３４の下流側へ向けて吹き飛ばされ、ベルト３４の幅方向へ薄く広く分散させると共に、遠方まで飛ばされたもの、すなわち、軽量の雑魚をストッパ板１３へ向けて吹き飛ばし、雑魚受け箱１４の中へ落下させる。
【００１５】
こゝで、前記選別ノズル１６と跳ね上げノズル１７、および搬送ノズル１８、１９など、所定の通過路を移動するシラスＦに向けて選別風を送る送風ノズル５０について説明する。これら送風ノズル５０は前記シラスＦの通過路を横断して配置された送風筒５１に付設されている。
【００１６】
図３において、送風筒５１は略円筒状をなし、その端部には送風機（図示してない）に連なるホース５２が接続されている。そして、前記送風ノズル５０は送風筒５１の側面から接線方向に伸びる上下の板材５０ａとその両端を連結する側方の板材５０ｂとによって形成され、通気孔５１ａを通じて送風筒５１の内部に通じるとともに、その外端に軸方向へ伸びる細長いスリット状の噴口５３が設けられている。さらに、その噴口５３と送風筒５１との間には送風ノズル５０から吹き出す風力が、シラスＦの通過路の幅全面に均一に作用するべく、均分手段５４が設けられている。こゝで、均分手段５４は噴口５３の形状を長手方向中央部の幅ｗが両端部の幅Ｗに比して小さいものとし、その比率はおよそ１：２の割合に設定したものである。斯くて、噴口５３から噴出する風量は送風ノズル５０の長手方向各部において大略均等となる。
【００１７】
さらに、図４においては、送風筒５１は一側にのみホース５２が接続され他側が閉じられている。そして、同様に送風筒５１の側壁には送風ノズル５０が突設され、その先端に開口する噴口５３はホース５２を接続された側の幅ｗが他側の幅Ｗに比して小さいものとされ、その間が所定の割合で変化させてある。また、前記幅ｗと幅Ｗの比率は、図３の場合と同様に概ね１：２の割合に設定されている。斯くて、噴口５３から噴出する風量は送風ノズル５０の長手方向各部において大略均等となる。
【００１８】
さらに、図５においては、送風筒５１の一側あるいは両側にホース５２が接続され、かつ、送風筒５１の側壁には送風ノズル５０が突設され、その先端部に細長いスリット状の噴口５３が設けられている。そして、噴口５３の背部には送風筒５１の長手方向に沿って多数の区画板５４ａ、５４ａを配し、送風筒５１から噴口５３に通じる通路を複数に分離してある。斯くて、その区画板５４ａ、５４ａの間隔を中央部が狭く端部が広くなるように設定され、噴口５３から噴出する風量は送風ノズル５０の長手方向各部において大略均等となる。なお、区画板５４ａは図中、二点鎖線で示すように、一部を外方へ屈曲させることにより、送風幅を広くすることも可能である。
【００１９】
【発明の効果】
以上のように、この発明によれば、シラス干しを風選するべく噴口５３から噴出する風は、均分手段によってシラスの通過路の幅全体に亘り、大略、均一に吹き出す。よって、シラスに作用する風力が一定となり、風選の精度を向上させる。また、均分手段は送風筒とスリットとの間に設けられ、構造が簡単なものであり、廉価に製造できるなどの効果がある。
【図面の簡単な説明】
【図１】この発明の一実施例である風選装置の側面図である。
【図２】そのＩＩ−ＩＩ断面図である。
【図３】（ａ）は図１中の要部の拡大断面図であり、同時に次の（ｂ）図中のＡ−Ａ断面図である。（ｂ）はその矢視Ｂ図、（ｃ）はそのＣ−Ｃ断面図である。
【図４】他の実施例を示す図３相当の断面図であり、（ａ）は拡大断面図、（ｂ）はその矢視Ｂ図、（ｃ）はＣ−Ｃ断面図である。
【図５】さらに、他の実施例を示す図３相当の断面図であり、（ａ）は拡大断面図、（ｂ）はそのＢ−Ｂ断面図、（ｃ）はＣ−Ｃ断面図である。
【図６】従来の装置を示す図３相当の断面図であり、（ａ）はその拡大断面図、（ｂ）はその正面図である。
【符号の説明】
１０・・・・風選装置
１１・・・・キャスタ車輪
１２・・・・供給コンベア
１３・・・・ストッパ板
１４・・・・雑魚受け箱
１５・・・・シラス受け箱
１６・・・・選別ノズル
１７・・・・跳ね上げノズル
１８、１９・・・・搬送ノズル
２０・・・・選別台車
２１・・・・底板
２２・・・・側板
２３・・・・上板
２４・・・・下板
３０・・・・ベルトコンベア
３１・・・・フレーム
３２・・・・駆動ローラ
３３・・・・従動ローラ
３４・・・・コンベアベルト
３５・・・・支軸
３６・・・・加振器
３７・・・・電動機
３８・・・・ベルト
４０・・・・静電装置
４１・・・・正極
４２・・・・負極
４３・・・・高圧電源
４４・・・・碍子
４５・・・・乾燥ノズル
５０・・・・送風ノズル
５０ａ・・・上下の板材
５０ｂ・・・側方の板材
５１・・・・送風筒
５１ａ・・・通気孔
５２・・・・ホース
５３・・・・スリット状の噴口
５４・・・・均分手段
５４ａ・・・区画板
Ｄ・・・・空気通路
Ｆ・・・・シラス
Ｗ、ｗ・・・幅
【図１】
0003561315.tif 000002
【図２】
0003561315.tif 000003
【図３】
0003561315.tif 000004
【図４】
0003561315.tif 000005
【図５】
0003561315.tif 000006
【図６】
0003561315.tif 000007